(57)【要約】【課題】山部と谷部の幅に関わらず、又、山部の頂面から突出する突出部が存在する場合にも、容易に且つ安定して緑化ユニットを敷設することができる。【解決手段】山部２と谷部３が連設された折板屋根１上に、凸部６と凹部７が連設され凸部６の高さが突出部４の高さより高い下地材５を、山部２及び谷部３と凸部６及び凹部７とが直交するように敷設して、凸部６内に突出部４を収納し、下地材５の凸部６上に緑化ユニット８を載置する屋根緑化設備。【選択図】図３
2010246566.tif 000002
【特許請求の範囲】
【請求項１】
山部と谷部が連設された屋根上に、所定寸法に規格化された緑化ユニットを複数敷設する屋根緑化設備であって、
前記緑化ユニットは、底面と側壁を有し、平面視で略方形で上方が開口した略箱形に形成され、内部に少なくとも植物育成用の育成材が収納されており、
少なくとも前記山部の頂部から上方に突出部が突設された前記屋根上に下地材を敷設し、前記下地材上に前記緑化ユニットを載置して、前記突出部の頂部よりも前記緑化ユニットの前記底面が上方に位置するように前記緑化ユニットを保持することを特徴とする屋根緑化設備。
【請求項２】
前記下地材を、凸部と凹部が連設され、前記凹部の幅が前記緑化ユニット底面の少なくとも一方向の長さより小さく、前記凸部の高さが前記突出部の高さより高い波形部材とし、前記屋根の山部と谷部と直交するように前記凸部と前記凹部を配置して前記下地材を設け、前記凸部上に前記緑化ユニットを載置することを特徴とする請求項１記載の屋根緑化設備。
【請求項３】
前記波形部材の前記凸部の幅を前記凹部の幅より大きくすることを特徴とする請求項２記載の屋根緑化設備。
【請求項４】
前記下地材を、前記突出部より高い高さを有する棒材とし、前記棒材を前記屋根の山部と谷部の長手方向と直交するように複数並設し、前記棒材上に前記緑化ユニットを載置することを特徴とする請求項１記載の屋根緑化設備。
【請求項５】
前記下地材を、前記突出部より高い高さを有し、前記緑化ユニットの単数若しくは前記緑化ユニットを複数隣接して敷設した状態の底面外形と略同形同大で、且つ略中央に空洞部を有する枠材とし、前記枠材上に前記緑化ユニットを載置することを特徴とする請求項１記載の屋根緑化設備。
【請求項６】
前記谷部上に、前記山部頂部間の幅以上の幅を有する略平板状の蓋体を載置し、前記蓋体上に若しくは前記屋根の山部頂部と前記蓋体上に前記下地材を載置することを特徴とする請求項１〜５の何れかに記載の屋根緑化設備。
【請求項７】
前記蓋体に排水兼通気孔を穿設することを特徴とする請求項６記載の屋根緑化設備。
【請求項８】
前記排水兼通気孔を蓋体を切り起こして設けることを特徴とする請求項７記載の屋根緑化設備。
【請求項９】
前記切起部の外側縁と前記谷部底面から前記山部頂面に至る面とを当接して前記蓋体を位置決めすることを特徴とする請求項８記載の屋根緑化設備。
【請求項１０】
前記蓋体の端部に下方に向かって突出する縁を設け、前記屋根の谷部の少なくとも上方を前記縁で覆うことを特徴とする請求項６〜９の何れかに記載の屋根緑化設備。
【請求項１１】
前記下地材若しくは前記蓋体の少なくとも一方を屋根に固定することを特徴とする請求項１〜１０の何れかに記載の屋根緑化設備。
【発明の詳細な説明】
【技術分野】
【０００１】
本発明は、所謂折板屋根など山部と谷部を有する屋根上に、所定寸法に規格化された緑化ユニットを敷設する屋根緑化設備に関する。
【背景技術】
【０００２】
折板屋根等の屋根上に緑化ユニットを敷設する屋根緑化設備に関する公知技術として特許文献１の屋根緑化設備がある。特許文献１には、傾斜方向と直交する横方向に山部と谷部が交互に繰り返す勾配屋根上に、植物の植えられた低背な板状の複数の緑化ユニットを、屋根の勾配に合わせて傾斜状態にし、互いに隣接して並べて取り付ける屋根緑化設備が開示されている。
【０００３】
その他の関連技術として、特許文献２に、傾斜屋根面上に、傾斜方向と直交する横方向に桟木を多段式に載置し、傾斜屋根面と植生パレット又は基板との間に空間が生じるように、植生パレット又は基板を桟木上に設置して、傾斜屋根を覆い、植生パレット又は基板上に植生基盤を載置する屋根緑化設備が開示されている。
【０００４】
【特許文献１】特開２０００−３２４９５３号
【特許文献２】特開２００４−１５０１３９号
【発明の開示】
【発明が解決しようとする課題】
【０００５】
ところで、折板屋根の山部と谷部の間隔には様々なものが存在するが、特許文献１の屋根緑化設備の如く、山部と谷部を有する屋根上に緑化ユニットを取り付ける構成では、緑化ユニットの幅が谷部の幅よりも長い場合には良いが、逆に短い場合には、複数の山部上に緑化ユニットを載置することができず、安定した設置が困難になるという不具合が生ずる。更に、折板屋根には山部頂面からボルトやハゼ部等が突出していることが多々あり、斯様な突出部が存在する場合に緑化ユニットの設置自体が困難となる。
【０００６】
本発明は上記課題に鑑み提案するものであって、山部と谷部を有する屋根上に緑化ユニットを敷設する屋根緑化設備に関し、山部と谷部の幅に関わらず、容易に且つ安定して緑化ユニットを敷設することができる屋根緑化設備を提供することを目的とする。また、別の目的は、山部の頂面から突出する突出部が存在する場合にも、容易に且つ安定して緑化ユニットを敷設することができる屋根緑化設備を提供することにある。
【課題を解決するための手段】
【０００７】
本発明の屋根緑化設備は、山部と谷部が連設された屋根上に、所定寸法に規格化された緑化ユニットを複数敷設する屋根緑化設備であって、前記緑化ユニットは、底面と側壁を有し、平面視で略方形で上方が開口した略箱形に形成され、内部に少なくとも植物育成用の育成材が収納されており、少なくとも前記山部の頂部から上方に突出部が突設された前記屋根上に下地材を敷設し、前記下地材上に前記緑化ユニットを載置して、前記突出部の頂部よりも前記緑化ユニットの前記底面が上方に位置するように前記緑化ユニットを保持することを特徴とし、下地材で突出部を吸収する。
【０００８】
また、本発明の屋根緑化設備は、前記下地材を、凸部と凹部が連設され、前記凹部の幅が前記緑化ユニット底面の少なくとも一方向の長さより小さく、前記凸部の高さが前記突出部の高さより高い波形部材とし、前記屋根の山部と谷部と直交するように前記凸部と前記凹部を配置して前記下地材を設け、前記凸部上に前記緑化ユニットを載置することを特徴とする。即ち、下地材の連続して設けられた凹部と凸部について、凹部の幅を緑化ユニットの底面寸法より小さくして緑化ユニットを載置可能にしつつ、凸部の高さを突出部の高さよりも高くして凸部で突出部を吸収する。更に、前記波形部材の凸部の幅を凹部の幅より大きくすることを特徴とする。
【０００９】
また、本発明の屋根緑化設備は、前記下地材を、前記突出部より高い高さを有する棒材とし、前記棒材を前記屋根の山部と谷部の長手方向と直交するように複数並設し、前記棒材上に前記緑化ユニットを載置することを特徴とする。即ち、屋根の山部と谷部に直交するように複数の棒部材を並行して配設し、棒部材で突出部を吸収する。
【００１０】
また、本発明の屋根緑化設備は、前記下地材を、前記突出部より高い高さを有し、前記緑化ユニットの単数若しくは前記緑化ユニットを複数隣接して敷設した状態の底面外形と略同形同大で、且つ略中央に空洞部を有する枠材とし、前記枠材上に前記緑化ユニットを載置することを特徴とする。即ち、緑化ユニットの単数又は複数体の底面外形と略同形同大で、且つ略中央部に空洞部が形成された枠材で突出部を吸収する。
【００１１】
また、本発明の屋根緑化設備は、前記谷部上に、前記山部頂部間の幅以上の幅を有する略平板状の蓋体を載置し、前記蓋体上に若しくは前記屋根の山部頂部と前記蓋体上に前記下地材を載置することを特徴とする。
【００１２】
尚、蓋体の幅を山部頂部間の幅を超える幅とし、確実に山部頂部間に蓋体を架設できるようにする構成や、又は、蓋体の幅を山部頂部間の幅より僅かに幅狭とし、山部間或いは谷部に蓋体を係合し、蓋体の上面と山部頂面で略同一面とする構成等とすることも可能であり、また、屋根から上方に突出する突出部が無い場合や屋根から上方に突出する突出部を回避して緑化ユニットを設置可能である場合など、場合によっては、山部と谷部が連設された屋根の谷部上に蓋体を載置し、蓋体上若しくは屋根の山部頂部と蓋体上に緑化ユニットを敷設する構成としても、安定して緑化ユニットを設置することが可能である。
【００１３】
更に、本発明の屋根緑化設備は、蓋体に排水兼通気孔を穿設し、好適には排水兼通気孔は、蓋体に切り込みを形成して下方に折り曲げて設ける、或いは蓋体を切り起こして設けることを特徴とする。更に、前記切起部の外側縁と谷部底面から山部頂面に至る面とを当接して蓋体を位置決めすることを特徴とする。更には、蓋体の端部に下方に折り曲げ形成する等により下方に向かって突出する縁を設け、屋根の谷部の少なくとも上方を前記縁で覆うことを特徴とし、好適には、前記縁の外側縁と谷部底面から山部頂面に至る面とを当接して蓋体を位置決めする構成とするとよい。
【００１４】
また、本発明の屋根緑化設備は、下地材若しくは蓋体の少なくとも一方を屋根に固定する、又は下地材と蓋体の両者を屋根に固定することを特徴とする。
【００１５】
尚、本発明には、各発明の特定事項に別途に特定事項に追加したもの、各発明の特定事項の一部を別の特定事項に変更したもの、各発明の特定事項の一部を削除し、部分的な作用効果を奏する限度で上位概念化したものも含まれる。
【発明の効果】
【００１６】
本発明の屋根緑化設備は、山部と谷部が連設された屋根上に下地材を設けて、下地材上に緑化ユニットを設けることにより、山部と谷部の幅に関わらず、容易に且つ安定して緑化ユニットを敷設することができる。更に、緑化ユニットの底面を突出部の頂部より上方に位置させることにより、山部の頂部から突出する突出部が存在する場合にも、容易に且つ安定して緑化ユニットを敷設することができる。従って、既設、新設を問わない等、山部と谷部を有する屋根の状態や構造に関わらずに、敷設した緑化ユニットを安定させることができる。
【図面の簡単な説明】
【００１７】
【図１】（ａ）は屋根緑化設備を設ける屋根の平面図、（ｂ）は同図（ａ）の屋根の縦断面図。
【図２】（ａ）は図１の屋根に実施例１に於ける下地材を載置した状態を示す平面図、（ｂ）は同図（ａ）の状態の縦断面図、（ｃ）は同図（ａ）の状態の左側面図。
【図３】（ａ）は図２の下地材上に緑化ユニットを載置して構成した実施例１の屋根緑化設備を示す平面図、（ｂ）は同図（ａ）の屋根緑化設備の縦断面図、（ｃ）は同図（ａ）の屋根緑化設備の左側面図。
【図４】（ａ）は屋根緑化設備を構成する緑化ユニットの植栽コンテナの平面図、（ｂ）は屋根緑化設備を構成する緑化ユニットの貯水槽の平面図、（ｃ）は分離状態の植栽コンテナと貯水槽を示す縦断説明図、（ｄ）は植栽コンテナと貯水槽で構成される緑化ユニットの縦断説明図。
【図５】（ａ）は図１の屋根に実施例２に於ける下地材を載置した状態を示す平面図、（ｂ）は同図（ａ）の状態の縦断面図。
【図６】（ａ）は図５の下地材上に緑化ユニットを載置して構成した実施例２の屋根緑化設備を示す平面図、（ｂ）は同図（ａ）は屋根緑化設備の縦断面図。
【図７】実施例２の屋根緑化設備の斜視説明図。
【図８】（ａ）は図１の屋根に実施例３に於ける下地材を載置した状態を示す平面図、（ｂ）は同図（ａ）の状態の縦断面図。
【図９】（ａ）は図８の下地材上に緑化ユニットを載置して構成した実施例３の屋根緑化設備を示す平面図、（ｂ）は同図（ａ）は屋根緑化設備の縦断面図。
【図１０】実施例３の屋根緑化設備の斜視説明図。
【図１１】（ａ）は図１の屋根に実施例４に於ける蓋体を載置した状態を示す平面図、（ｂ）は同図（ａ）の状態の縦断面図。
【図１２】（ａ）は図１１の蓋体上に実施例４に於ける下地材を載置した状態を示す平面図、（ｂ）は同図（ａ）の状態の縦断面図。
【図１３】（ａ）は図１２の下地材上に緑化ユニットを載置して構成した実施例４の屋根緑化設備を示す平面図、（ｂ）は同図（ａ）は屋根緑化設備の縦断面図。
【図１４】実施例４の屋根緑化設備の斜視説明図。
【図１５】（ａ）は実施例４に於ける蓋体を示す斜視図、（ｂ）は同図（ａ）の蓋体を屋根に載置した際の状態を示す部分斜視図。
【図１６】（ａ）はハゼタイプの屋根に下地材を載置した状態を示す平面図、（ｂ）は同図（ａ）の状態の縦断説明図。
【図１７】（ａ）は蓋体の別例で第１例を示す平面図、（ｂ）は同図（ａ）の蓋体の正面図、（ｃ）は蓋体の第２例を示す平面図、（ｄ）は同図（ｃ）の蓋体の正面図、（ｅ）は蓋体の第３例を示す平面図、（ｆ）は同図（ｅ）の蓋体の正面図。
【発明を実施するための形態】
【００１８】
以下、具体的な実施形態に基づいて説明するが、本発明は以下の実施形態に限定されるものではない。
【００１９】
〔実施例１〕
実施例１の屋根緑化設備は、図１に示す折板屋根１に設けるものであって、折板屋根１には、頂面２ａ或いは底面３ａを有する断面視台形で筋状の山部２と谷部３が連続して設けられ、山部２の頂面２ａの所定箇所には突出部４が上方に突出して設けられている。突出部４は、例えば折板屋根１を構成する山部２と谷部３が連設された折板屋根部材を結合する箇所に設けられ、折板屋根部材を下方から貫通するボルトと、ワッシャーを介して前記ボルトと螺合するナットとで構成される。図１の突出部４は、山部２と谷部３の長手方向と直交する方向に一列に並んで複数箇所突出している。
【００２０】
折板屋根１上には、図２に示す下地材５を敷設する。下地材５は、断面視台形で筋状の凸部６と凹部７が連続して設けられ、凸部６の頂面６ａの高さは突出部４の高さよりも高いか、少なくとも同一高さであり、凸部６は突出部４を内部に収容して突出部４を吸収可能である。また、凹部７の底面７ａの幅は凸部６の頂面６ａの幅よりも短くなっており、凸部６の頂面６ａの幅を大きくすることで、突出部４を内部に収容しやすくなっている。下地材５は、折板屋根１の山部２と谷部３の延びる方向と凸部６と凹部７の延びる方向とを直交させ、突出部４を所定箇所の凸部６内に収容するように配置して、折板屋根１上に敷設する。
【００２１】
折板屋根１上に敷設した下地材５上には、図３に示すように、緑化ユニット８を複数隣接して並べて敷設し、実施例１の屋根緑化設備及び屋根緑化設備による緑化エリアを構成する。
【００２２】
本実施例で敷設する緑化ユニット８は、図３及び図４に示すように、底面８０１と側壁８０２を有する上面開口の略箱形の貯水槽８０３と、底面８０４と側壁８０５を有する上面開口の略箱形の植栽コンテナ８０６とを有するものであって、側壁８０５が側壁８０２に載るようにして植栽コンテナ８０６を貯水槽８０３に載置し、植栽コンテナ８０６内に植物を育成するための育成材８０７を充填し、育成材８０７に例えば地被植物や多肉植物等の植物８０８を植栽して構成される。
【００２３】
植栽コンテナ８０６の底面８０４の略中央には、中空の吸水凸部８０９が下方に突出して形成され、吸水凸部８０９の下端面には図に省略した吸水部材８１０を挿通可能な挿通穴が穿設されており、前記挿通穴に吸水部材８１０を挿通して取り付け、貯水槽８０３内の水分を前記挿通穴や吸水部材８１０から植栽コンテナ８０６内に導入可能になっている。即ち、吸水凸部８０９内に充填した育成材８０７で貯水槽８０３内の水分を直接吸水することが可能である共に、吸水部材８１０を介して貯水槽８０３内の水分を間接吸水することが可能であり、例えば施工直後など植物８０８に多量の水分が必要な時には直接吸水を行って吸水速度を速くし、降雨が少ない場合には間接吸水で徐々に時間をかけて吸水する等、自然環境や施行状況など状況に応じて植物８０８に水分を与えることが可能である。
【００２４】
植栽コンテナ８０６の底面８０４には、複数の通水兼通気孔８１１が穿設されており、通水兼通気孔８１１で、植栽コンテナ８０６の雨水等の余剰水を貯水槽８０３へ導くことが可能であると共に、植物８０８の根への新鮮な空気を送ることが可能となっている。
【００２５】
また、緑化ユニット８の所定方向の長さ、例えば方形の底面８０１の縦辺或いは横辺は、少なくとも、凸部６・６の頂面６ａ・６ａの隣り合う端部相互間の距離よりも長くなっており、緑化ユニット８は下地材５の複数の凸部６にかけて載置可能な寸法構成になっている。更に、緑化ユニット８の所定方向の長さ、例えば方形の底面８０１の縦辺或いは横辺を、山部２・２の頂面２ａ・２ａの隣り合う端部相互間の距離よりも長くし、緑化ユニット８を折板屋根１の複数の山部２にかけて載置可能な寸法構成とすると、緑化ユニット８の設置状態の強度や安定性が高まり好適である。
【００２６】
尚、吸水部材８１０は、例えばガラス繊維束、多孔質セラミックス、熱接着繊維、とうもろこし系繊維、アクリル繊維等や、これらを固化してなる導水棒など適宜である。また、吸水部材８１０を設けない構成とすることも可能であり、吸水部材８１０を設けない場合には、例えば吸水凸部８０９を貯水槽８０３の底面８０１の近傍まで延設して形成し、吸水凸部８０９内の育成材８０７で吸水する構成や、貯水槽８０３内の水分の蒸発により育成材８０７に水分を供給する構成や、植物８０８の根を植栽コンテナ８０６の通水兼通気孔８１１から貯水槽８０３内の水分まで導く構成等とするなど適宜である。
【００２７】
また、育成材８０７には、植物８０８を栽培可能な適宜の育成材を用いることが可能であり、例えばパーライト、バーミキュウライト、ピートモス、バーク堆肥、チャフコン、木質腐朽有機物、ゼオライト、下水或いは浄水場から発生する汚泥、或いは汚泥の焼却灰等とすることができ、或いは、これらの内の数種類を選定し、必要に応じて根腐れ防止用の硅酸塩白土等を植物の種類、環境等に応じて適宜選定し、これらを保水性、排水性が良好になるようにバランス良く配合したもの、或いはこれらを単体で若しくは配合して固化しブロック状にした軽量育成材や、スポンジやヤシガラ等の繊維材等の軽量育成材等とすることが可能である。前述のような通気性の良い軽量育成材を育成材として用いる場合、植物８０８の根が傷むことを防止することができ、又、これらの軽量育成材にかかる荷重は通常の客土の約１／３以下とすることが可能であり、折板屋根１など屋根への荷重負荷を軽減することができる。
【００２８】
また、緑化ユニット８は、図３のように単に隣接して並べて設ける構成以外に、例えば貯水槽８０３若しくは植栽コンテナ８０６の少なくとも何れか一方若しくは双方に、係合等で相互に連結する連結部を側方或いは側壁８０２、８０５の上端近傍等に設け、緑化ユニット８・８相互間を連結部で互いに連結する構成や、或いは緑化ユニット８とは別体の断面略Ｕ字形若しくはＶ字形等の連結部材を、貯水槽８０３若しくは植栽コンテナ８０６の側壁に係合する等で連結する構成や、或いは前述のような連結部材を下地材５に固着し、その連結部材を係合する等で緑化ユニット８相互間を連結する構成等とすることが可能である。また、緑化ユニット８を連結せずに設ける場合には、例えば下地材５に接着剤等で接着する若しくはビス等の固定部材で固定する等で緑化ユニット８を並設すると良好である。
【００２９】
また、緑化ユニット８を複数の凸部６や複数の山部２に載置する構成以外に、例えば方形の底面８０１の縦辺或いは横辺を凸部６・６の頂面６ａ・６ａの隣り合う端部相互間の距離よりも短くし、緑化ユニット８は下地材５の一つの凸部６に載置する、或いは方形の底面８０１の縦辺或いは横辺を山部２・２の頂面２ａ・２ａの隣り合う端部相互間の距離よりも短くし、緑化ユニット８を折板屋根１の一つの山部２に載置する寸法や構成とすることも可能である。
【００３０】
また、下地材５の構成として、凸部６の幅を凹部７の幅よりも広くすると好適である。即ち、凸部６の頂面６ａや両側のテーパ面で突出部４を内部に収納可能な部分を、凹部７の底面７ａや凹部７の両側のテーパ面で突出部４を内部に収納不能な部分よりも広くする、或いは凸部６の頂面６ａを凹部７の底面７ａ等よりも広くすると好適であり、折板屋根１の突出部４を吸収可能な面積や領域を大きくすることが可能となると共に、緑化ユニット８の底面８０１のより確実な支持が可能となる。
【００３１】
また、下地材５は凸部６と凹部７が一定方向に延びて凹凸形状が形成される波形部材に限定されるものではなく、例えば筋状或いは突起状の凸部と凹部が千鳥配置等で形成されている部材等としてもよく、屋根に突出する突出部を吸収可能なものであれば適宜である。
【００３２】
上記実施例１の屋根緑化設備は、下地材５の１以上の凸部６、好適には２以上の凸部６上に緑化ユニット８の底面８０１を位置させ、緑化ユニット８を確実に所定位置で安定して支持することができる。
【００３３】
また、折板屋根１の突出部４は、下地材５の凸部６内に収納して吸収するので、緑化ユニット８を敷設する際に突出部４が邪魔になるようなことが無く、突出部４の有無と関係なく緑化ユニット８を並設することができる。従って、屋根の既設、新設や、屋根の形状と関係なく、確実に且つ容易に屋根緑化設備を敷設することができる。また、屋根に加工を加えずに緑化することができるため、屋根を傷つけることが無く、屋根の破損等も防止することができる。
【００３４】
また、下地材５は凸部６を有し、折板屋根１と山部２の頂面２ａと凸部６の頂面６ａとの間に空間が形成されるため、空気の流通がよく、屋根の腐食を防止することができると共に、空間を利用して必要に応じて他の部材を取り付けること等を容易に行うことができ、取り付ける部材と屋根とが干渉することも防止することができる。
【００３５】
〔実施例２〕
次に、実施例２の屋根緑化設備について、実施例１と異なる箇所の詳細を説明する。実施例２の屋根緑化設備は、図５〜図７に示すように、実施例１と同様の折板屋根１に緑化ユニット８を敷設するものであるが、下地材９が実施例１の下地材５と異なっている。実施例２の下地材９は、四角柱形の棒状部材であって、その縦辺の高さは突出部４の突出高さよりも高くなっている。下地材９は、その長手方向を折板屋根１の山部２と谷部３が延びる方向と直交するように山部２の頂面２ａに載置し、複数本を平行に所定間隔を開けて配置し敷設すると共に、突出部４が棒状の下地材５・５間に位置するように敷設し、突出部４の突出高さを吸収する構成である。
【００３６】
敷設状態の棒状の下地材９・９の隣り合う上面端部相互間の所定間隔は、緑化ユニット８の底面８０１の所定方向の長さ以下或いは未満の距離、例えば方形の貯水槽底面８０１の縦辺或いは横辺の長さ未満の距離とし、複数の下地材９上に緑化ユニット８を載置可能とすると良好である。より好適には、下地材９を緑化ユニット８の一辺の長さの略半分の距離離間して並設し、下地材９で緑化ユニット８の方形の底面８０１の両側側辺近傍と中央を支持する構成とすると、強度の比較的低い緑化ユニット８を用いることが可能となる。
【００３７】
そして、折板屋根１に敷設した下地材９上に、図６及び図７に示すように、実施例１と同様に緑化ユニット８を載置して複数並べて敷設し、実施例２の屋根緑化設備或いは緑化エリアを構成する。
【００３８】
実施例２の屋根緑化設備は、実施例１と同様の効果を発揮すると共に、下地材９の取扱いが容易であり、高い施工性を有する。また、折板屋根１の全体を下地材９で覆う構成ではなく、更に下地材９も簡単な構成であるから、コストダウンを図ることができる。尚、棒状の下地材９は、断面視略Ｕ字形若しくはＶ字形等の溝を有する部材など、突出部４を内部に収納する中空領域を設けたものとすると好適であり、棒状の下地材９で突出部４を吸収することが可能となり、更には、棒状の下地材９の材料費の削減、下地材９の軽量化の実現、施工性の向上を図ることができる。
【００３９】
〔実施例３〕
次に、実施例３の屋根緑化設備について、実施例１、実施例２と異なる箇所の詳細を説明する。実施例３の屋根緑化設備は、図８〜図１０に示すように、実施例１、２と同様の折板屋根１に緑化ユニット８を敷設するものであるが、下地材１０が実施例１、２の下地材５、９と異なっている。実施例３の下地材１０は、断面視略コ字形の部材で構成される、緑化ユニット８の底面８０１と同形同大の枠材であり、平面視略日字形に形成され、枠材の内側は架橋部１０１以外の部分は空洞部１０２になっていると共に、枠材の高さは突出部４よりも高く形成されている。下地材１０は、折板屋根１の突出部４が前記空洞部１０２内に位置するようにすると共に、断面視略コ字形の開放側を下にして、折板屋根１上に複数並べて敷設され、突出部４を吸収する（図１０参照）。
【００４０】
そして、折板屋根１に敷設した下地材１０上に、図９及び図１０に示すように、実施例１、２と同様に緑化ユニット８を載置して複数並べて敷設し、実施例３の屋根緑化設備或いは緑化エリアを構成する。前記緑化ユニット８は、枠状の下地材１０に１対１で対応させ、下地材１０の上に載置する。
【００４１】
実施例３の屋根緑化設備は、実施例１、２と同様の効果を発揮すると共に、下地材１０を緑化ユニット８と一緒に取り扱うことが可能であるため、施工性を向上することができる。また、断面視略コ字形の枠材の開放側を下方にし、万一空洞部１０２内に突出部４を配置することが困難な場合にも、枠材内に突出部４を収納し、突出部４を吸収することが可能であり、更には、枠材の材料費の削減、枠材の軽量化の実現、一層の施工性の向上を図ることができる。
【００４２】
尚、枠状の下地材１０は、断面視略Ｕ字形若しくはＶ字形等の溝を有する部材など、突出部４を内部に収納する他の形状の中空領域を設けたものとしても同様の効果が得られて好適であり、また、突出部４の収納空間を有しない中実部材で枠状の下地材を構成してもよく、また、部分的に溝状や突起状の中空領域を設けたものとしてもよい。
【００４３】
また、下地材１０の枠形状は、平面視略日字形以外にも緑化ユニット８が所要強度を有する場合には平面視略ロ字形など適宜であるが、例えば平面視略田字形や格子状、対角線方向に補強材を有するものなど、緑化ユニット８の中央や比較的狭い距離毎に緑化ユニット８を支持可能な構成とすると、緑化ユニット８に要求される強度を低めることができ、更に高い強度や安定性での設置が可能となって好適である。
【００４４】
また、実施例３では、１つの緑化ユニット８に対して１つの枠状の下地材１０を用いる場合について説明したが、複数の枠状の下地材１０を組み合わせに対して一つの緑化ユニット８を載置する構成や、一つの枠状の下地材１０に対して複数の緑化ユニット８を載置する構成等とすることが可能である。
【００４５】
また、枠状の下地材１０と緑化ユニット８は、嵌合若しくは係合構造で互いに固定される構成とすると、緑化ユニット８の位置決めや安定した設置を図れ、確実に正確な位置に緑化ユニットを設置することができて好適である。前記嵌合若しくは係合構造としては、例えば貯水槽８０３の四隅など少なくとも一隅に中空の脚部や柱部を設け、前記中空の脚部や柱部に対応する位置の枠状の下地材１０に、前記中空の脚部や柱部内に嵌挿される突出部を設ける構成や、貯水槽８０３の底面８０１の下面に中空や中実の脚部を設け、前記脚部と嵌合若しくは係合する凸部若しくは凹部を枠状の下地材１０に設ける構成など、枠状の下地材１０と緑化ユニット８を位置決めして固定できる構成であれば適宜である。
【００４６】
また、枠状の下地材１０を相互に連係する連係部や連係部材を下地材１０に一体的に若しくは別体で設けると、枠状の下地材１０がずれて、緑化ユニット８が変形する或いは突出部４や折板屋根１の他の部分に当たってしまう不具合を防止することができ好適である。連係部や連係部材による連係構造としては、例えば枠状の隣り合う２辺の側面上方に鉤形連係部を設け、他の２辺に鉤形連係部が連係される連係受け部を設け、鉤形連係部を連係受け部に係合して連係する構成や、略コ字形で楔状の連係部材が嵌り込む連係受け部を、下地材１０の上面から側面にかけて対応位置に断面視略Ｌ字形等で設け、前記連係受け部に上面が略面一になるように連係部材を嵌め込んで連係する構成など、下地材１０を相互に位置決めして連係できる構成であれば適宜である。
【００４７】
〔実施例４〕
次に、実施例４の屋根緑化設備について、実施例１から実施例３と異なる箇所の詳細を説明する。実施例４の屋根緑化設備は、図１１〜図１５に示すように、実施例３と同様の折板屋根１に、下地材１０、緑化ユニット８を敷設するものであるが、折板屋根１の谷部３を覆う蓋体１１を設ける構成で実施例３と異なっている。蓋体１１は、平面視略長方形の板状であり、上面には排水兼通気用の孔１１１が穿設されている。排水兼通気孔１１１は、蓋体１１の上面を所定位置で切り起こして下方に折り曲げ、略台形状の切起部１１２を形成して設ける。切起部１１２は、その外側の側方縁が谷部底面３ａから山部頂面２ａに至る傾斜面に当接して、蓋体１１を位置決めするようになっており、また、切起部１１２を設けることで、蓋体１１の強度が高められている。
【００４８】
また、屋根緑化設備の外周に位置する蓋体１１或いは一つの谷部３に連設される蓋体１１の端に位置する蓋体１１には、その外側の端に位置する端部に略台形状の縁部１１３が下方に折り曲げて設けられている（図１５参照）。縁部１１３の外側の側方縁も、谷部底面３ａから山部頂面２ａに至る傾斜面に当接して、蓋体１１を位置決めするようになっている。尚、縁部１１３は必要な適宜の蓋体１１の端部のみに設ける構成の他、各蓋体１１の一方の端部若しくは両方の端部に設けることが可能である。
【００４９】
実施例４の屋根緑化設備を設ける場合には、図１１に示すように、下地材１０を載置する前に、折板屋根１の谷部３の上方に、山部頂面２ａにそれぞれ両側端部を載置することにより蓋体１１を並べて配設する。配設される蓋体群の各蓋体１１の切起部１１２の側方縁と縁部１１３の側方縁は、谷部底面３ａから山部頂面２ａに至る傾斜面に当接し、縁部１１３は谷部３の少なくとも上方を覆い隠し、蓋体１１を配設した折板屋根１、或いは折板屋根１の山部頂面２ａと蓋体１１の上面は、突出部４を除く箇所で略平坦面になるようになっている。
【００５０】
尚、突出部４の対応箇所、例えばワッシャーに対応する箇所では、図１１及び図１４に示すように、所要の蓋体１１に切欠１１４を設ける構成とするが、全ての蓋体１１に切欠１１４を設ける構成としてもよく、また、前記構成以外に、ワッシャー等の厚さによってはそのまま蓋体１１を載置することも可能であり、又は、ワッシャー以上の幅を蓋体１１・１１間に設ける構成等としてもよい。また、縁部１１３で谷部３の少なくとも上方を覆う構成とすることにより、谷部３への強風の入り込みを極力防止することが可能になると共に、谷部３を伝って流れる排水を良好に排出することが可能になっている。
【００５１】
そして、蓋体１１上に、図１２に示すように、実施例３と同様の枠状の下地材１０を敷設し、下地材１０上に緑化ユニット８を敷設し（図１３参照）、実施例４の屋根緑化設備或いは緑化エリアを構成する。
【００５２】
実施例４の屋根緑化設備は、実施例３と同様の効果を発揮すると共に、折板屋根１及び蓋体１１で枠状の下地材１０を支持することで、下地材１０を支持する支持強度を高めることができると共に、例えばユニットの枠状の下地材１０や緑化ユニット８をより安定した状態で敷設することが可能になる。また、折板屋根１に蓋体１１を設けることから、安定した面上で施工を行うことができる。また、蓋体１１を設置した場合にも谷部３が塞がれることがないことから、強風の入り込みを防止し、空気や水分の良好な流通を確保することができると共に、安全性も向上する。
【００５３】
以上、本発明の屋根緑化設備の実施例について説明したが、本発明は上記実施例に限定されるものではなく、以下のような拡張及び変形が可能である。
【００５４】
先ず、緑化ユニットは、上記実施例の緑化ユニット８に限定されるものではなく、例えば貯水槽８０３を設けない構成や、育成材８０７を固化してなる育成材ブロックで、植栽コンテナ８０６に代えて植栽部とする構成や、ヤシガラ繊維等の育成材マットに植栽を施したものを植栽部とする構成や、或いはこれらの組み合わせなど適宜であり、植物８０８を栽培可能なユニットであれば全て含まれる。
【００５５】
また、突出部４には、前記ボルト等以外に、図１６に示すようなハゼタイプの折板屋根１ａの突出部４ａも含まれる。ハゼタイプの折板屋根１ａの突出部４ａを吸収する構成には、下地材で突出部を吸収する適宜の構成が含まれるが、例えば図１６に示すように、ハゼタイプの突出部４ａを有する折板屋根１の谷部３の上方に、第１〜第４タイプの下地材１２ａ〜１２ｄを配設し、下地材１２ａ〜１２ｄ上に緑化ユニット８を敷設する構成や、或いは実施例１〜実施例３の下地材５、１０等をハゼ部の対応箇所で切断する構成、切欠や穴を設けて配設する構成等とすることが可能である。尚、切断した場合は、山部２の頂面２ａ相互間を架橋するように、下地材を敷設する。
【００５６】
尚、図１６の下地材１２ａ〜１２ｄは、実施例４の蓋体１１と同様に平面視略長方形の板状であり、上面を所定位置で切り起こして下方に折り曲げ、長方形の切起部１２２ａ〜１２２ｄが形成されていると共に、排水兼通気孔１２１ａ〜１２１ｄが形成されている。更に、上面の両側端は下方に屈曲されて断面視略Ｌ字形の脚部１２３ａ〜１２３ｄになっており、脚部１２３ａ〜１２３ｄの高さは突出部４ａ（ハゼ部）の高さ以上とされ、突出部４ａを吸収可能になっている。第１タイプの下地材１２ａは、ハゼ部の円筒状頭部の側端と脚部１２３ａの外面が当接して位置合わせされる構成であり、また、第２タイプの下地材１２ｂは、ハゼ部の根元部の外面と脚部１２３ｂの外方に屈曲する屈曲片の先端が当接して位置あわせされる構成であり、また、第３タイプの下地材１２ｃは、第１タイプの下地材１２ａの前端或いは前後端に縁部１２４ｃを折り曲げて形成する構成であり、また、第４タイプの下地材１２ｄは、第２タイプの下地材１２ｂの前端或いは前後端に縁部１２４ｄを折り曲げて形成する構成である。前記第１〜第４タイプの下地材１２ａ〜１２ｄを単体で或いは組み合わせて折板屋根１に設け、下地材群を構成する。
【００５７】
また、ハゼタイプの屋根に使用する下地材１２ａ〜１２ｄや実施例４の蓋体１１等に設けられる排水兼通気孔１１１、１２１ａ〜１２１ｄ等は、上記四角形以外の適宜の形状とすることが可能であり、その設ける位置も適宜であり、また、切起部１１２、１２２ａ〜１２２ｄ等の構成も適宜であり、例えば図１７のようにすることが可能である。図１７（ａ）、（ｂ）の蓋体１１ａは、平面視略半円形に切り込みを形成し、内側へ傾斜する斜め下方に切り起こして略半円形の切起部１１２ａを形成し、排水兼通気孔１１１ａを設け、切起部１１２ａの外面を前記谷部底面３ａから山部頂面２ａに至る傾斜面に略沿って当接させ、位置決めする構成である。図１７（ｃ）、（ｄ）の蓋体１１ｂは、内側へ傾斜する斜め下方に切り起こして１対の略長方形の切起部１１２ｂを形成し、排水兼通気孔１１１ｂを設け、切起部１１２ｂの外面を前記谷部底面３ａから山部頂面２ａに至る傾斜面に略沿って当接させ、位置決めする構成である。図１７（ｅ）、（ｆ）の蓋体１１ｃは、円形孔の排水兼通気孔１１１ｃを設けると共に、長さ方向の両端に下方に折り曲げて略台形の縁部１１３ｃを形成し、縁部１１３の両外側縁を前記谷部底面３ａから山部頂面２ａに至る傾斜面に略沿って当接させ、位置決めする構成である。付言すると、前記図１７の構成は何れも下地材に適用可能である。
【００５８】
また、縁部１１３、１２４ｃ、１２４ｄ、１１３ｃは、必ずしも蓋体１１、１１ｃ或いは下地材１２ｃ、１２ｄに一体形成する必要はなく、例えば断面略Ｕ字形からなり、一方の端縁が係合部、他方の端縁が縁部１１３、１２４ｃ、１２４ｄ、１１３ｃとなる部材を蓋体１１、１１ｃ或いは下地材１２ｃ、１２ｄの排水兼通気孔１１１、１１１ｃ、１２１ｃ、１２１ｄに係合させる構成であってもよく、縁部１１３、１２４ｃ、１２４ｄ、１１３ｃを必要箇所のみ取り付ける、或いは追加で取り付ける、或いは取り外すことが可能となり、コストダウンに繋がると共に、施工性が向上する。
【００５９】
また、実施例４の蓋体１１は、折板屋根１の略全体を覆うように設けない構成とすることも可能であり、例えば緑化ユニット８の端部が折板屋根１の谷部３に位置する場合にだけ、その谷部３を覆って設ける構成とし、材料費を節約することができる。
【００６０】
また、下地材５等と折板屋根１の固定方式は、例えば下地材５等と折板屋根１を接着材で固定する構成や、或いは実施例１の下地材５に於いて、凹部７の底面７ａに孔を設け、前記孔内に突出部４であるボルトを挿通し、挿通したボルトの頂部近傍に下地材５の前記孔よりも大きいナット等の外れ止め部材を取り付け、下地材５を固定する構成とするなど適宜である。
【００６１】
また、折板屋根１の谷部３の空間には適宜の部材を収納し、屋根緑化設備の美観を向上することが可能であり、例えば緑化ユニット８への潅水用のパイプを配設する構成や、或いは緑化ユニット８内に電気を必要とするライト等を設ける場合の電線を配設する構成や、或い緑化ユニット８に水分センサーを設け、水分センサーの測定値に基づき潅水を制御する自動潅水装置を設ける場合にセンサー線等を配設する構成等とすることが可能である。
【産業上の利用可能性】
【００６２】
本発明の屋根緑化設備は、例えば工場等の折板屋根など連続する山部と谷部を有する屋根の緑化に利用することができる。
【符号の説明】
【００６３】
１…折板屋根  ２…山部  ２ａ、６ａ…頂面  ３…谷部  ３ａ、７ａ…底面  ４…突出部  ５…下地材  ６…凸部  ７…凹部  ８…緑化ユニット  ８０３…貯水槽  ８０６…植栽コンテナ  ８０７…育成材  ８０８…植物  ９、１０、１２ａ〜１２ｄ…下地材  １０１…架橋部  １０２…空洞部  １１、１１ａ、１１ｂ、１１ｃ…蓋体  １１１、１１１ａ、１１１ｂ、１１１ｃ、 １２１ａ〜１２１ｄ…排水兼通気孔  １１２、１１２ａ、１１２ｂ、１２２ａ〜１２２ｄ…切起部  １１３、１１３ｃ、１２４ａ、１２４ｄ…縁部  １１４…切欠  １２３ａ〜１２３ｄ…脚部
【図１】
2010246566.tif 000003
【図２】
2010246566.tif 000004
【図３】
2010246566.tif 000005
【図４】
2010246566.tif 000006
【図５】
2010246566.tif 000007
【図６】
2010246566.tif 000008
【図７】
2010246566.tif 000009
【図８】
2010246566.tif 000010
【図９】
2010246566.tif 000011
【図１０】
2010246566.tif 000012
【図１１】
2010246566.tif 000013
【図１２】
2010246566.tif 000014
【図１３】
2010246566.tif 000015
【図１４】
2010246566.tif 000016
【図１５】
2010246566.tif 000017
【図１６】
2010246566.tif 000018
【図１７】
2010246566.tif 000019